(57)【要約】【課題】装置構成を複雑にすることなく、ワイヤ張設機構等の省スペース化を可能として、装置の小型化を実現できる画像読取装置を提供する。【解決手段】ワイヤ駆動機構１０４は、フルレートキャリッジ１０１及びハーフレートキャリッジ１０２の走査方向に渡って、ワイヤ４０を巻架させてなるワイヤループが形成されている。ワイヤ４０を巻架するための従動プーリ４３，４４を走査方向基端部及び走査方向先端部に夫々配設して、前記ワイヤループの両端部が該従動プーリ４３，４４により支持される構成とすることにより、本画像読取装置１００の走査方向の長さが従来より縮小されている。【選択図】　　　図３
2004077952.tif 000002
【特許請求の範囲】
【請求項１】
光源と反射ミラーとを備えてなるフルレートキャリッジと、該フルレートキャリッジからの反射光を結像ユニットへ導くための反射ミラーを備えてなるハーフレートキャリッジとが、ガイドレールに沿って走査可能に設けられるとともに、駆動源からの駆動力により回転する駆動プーリ、前記ハーフレートキャリッジに軸支されたアイドラプーリ、及び従動プーリにワイヤが巻回されてなるワイヤループにより、前記フルレートキャリッジ及びハーフレートキャリッジを所定速度で走査するワイヤ駆動機構が設けられてなる画像読取装置において、
前記ワイヤ駆動機構は、従動プーリがワイヤループ両端部に配設されてワイヤを巻架し、該従動プーリ間に駆動プーリが配置されたものであることを特徴とする画像読取装置。
【請求項２】
光源と反射ミラーとを備えてなるフルレートキャリッジと、該フルレートキャリッジからの反射光を結像ユニットへ導くための反射ミラーを備えてなるハーフレートキャリッジとが、ガイドレールに沿って走査可能に設けられるとともに、駆動源からの駆動力により回転する駆動プーリ、前記ハーフレートキャリッジに軸支されたアイドラプーリ、及び従動プーリにワイヤが巻回されてなるワイヤループにより、前記フルレートキャリッジ及びハーフレートキャリッジを所定速度で走査するワイヤ駆動機構が設けられてなる画像読取装置において、
ハーフレートキャリッジを案内するガイドレールの端部に、ワイヤを緊張して固定するワイヤ張設機構が設けられたことを特徴とする画像読取装置。
【請求項３】
前記ワイヤ張設機構は、ハーフレートキャリッジを案内するガイドレールの端部に形成されたスプリング係止部と、該スプリング係止部との間に介設されたスプリングによりワイヤ緊張方向へ付勢された状態で前記端部に固定されたワイヤ連結部材とを具備するものであることを特徴とする請求項２に記載の画像読取装置。
【発明の詳細な説明】
【０００１】
【発明の属する技術分野】
本発明は、フルレートキャリッジとハーフレートキャリッジとをワイヤ駆動機構で走査することにより、原稿からの反射光を結像ユニットに導いて、原稿の画像読取りを行う画像読取装置に関し、特にワイヤ駆動機構の省スペース化を可能とする画像読取装置に関するものである。
【０００２】
【従来の技術】
スキャナ、ファクシミリ、複写機等には、プラテンガラス上に載置された紙等の原稿に対し、該プラテンガラスの下方において光源等を走査してＣＣＤ等の結像ユニットにより該原稿の画像読取りを行う画像読取装置が装備されているものがある。このような従来の画像読取装置として、例えば、原稿に光を照射するための光源と原稿からの反射光を所定方向へ反射する反射ミラーとを備えてなるフルレートキャリッジと、該フルレートキャリッジからの反射光をＣＣＤ等の結像ユニットへ導くための反射ミラーを備えてなるハーフレートキャリッジとがガイドレールに沿って走査可能に設けられ、ワイヤ駆動機構により該フルレートキャリッジ及びハーフレートキャリッジを走査するものがある。
【０００３】
【発明が解決しようとする課題】
前記ワイヤ駆動機構は、前記フルレートキャリッジ及びハーフレートキャリッジの走査方向に張設されたワイヤループに駆動プーリを介して駆動源からの駆動力が伝達されるように構成されているが、該駆動プーリは、フルレートキャリッジ等を移動させるに十分な駆動力をワイヤへ伝達するために、また、ワイヤを巻きつけるに十分な巻幅を設けるために、通常の従動プーリやアイドラプーリと比較して大径且つ幅広となっている。従って、従来の画像読取装置では、フルレートキャリッジ等の走査幅に加えて駆動プーリを配置するためのスペースが必要であり、少なくとも駆動プーリの外径だけ走査方向に長く構成する必要があった。
【０００４】
一方、フルレートキャリッジ及びハーフレートキャリッジを精度良く走査するためには、前記ワイヤループは一定の緊張力を付与した状態で張設されていることが好ましく、そのため、ワイヤの一端をスプリングを介して本体の適当な部位に連結して固定するワイヤ張設機構が設けられている。このような従来のワイヤ張設機構は、スプリング係止部や連結部材の固定部の形成が容易であることから、ワイヤ駆動機構の端部付近に設けられていたが、ワイヤ駆動機構の端部には、前記駆動プーリ等が配置されているためにスペースの余裕が少なく、装置の小型化のために省スペース化が望まれている箇所である。
【０００５】
本発明は、これらの問題に鑑みてなされたものであり、装置構成を複雑にすることなく、ワイヤ張設機構等の省スペース化を可能として、装置の小型化を実現できる画像読取装置を提供することを目的とする。
【０００６】
【課題を解決するための手段】
本発明に係る画像読取装置は、光源と反射ミラーとを備えてなるフルレートキャリッジと、該フルレートキャリッジからの反射光を結像ユニットへ導くための反射ミラーを備えてなるハーフレートキャリッジとが、ガイドレールに沿って走査可能に設けられるともに、駆動源からの駆動力により回転する駆動プーリ、前記ハーフレートキャリッジに軸支されたアイドラプーリ、及び従動プーリにワイヤが巻回されてなるワイヤループにより、前記フルレートキャリッジ及びハーフレートキャリッジを所定速度で走査するワイヤ駆動機構が設けられてなる画像読取装置において、前記ワイヤ駆動機構は、ワイヤを巻架するための従動プーリがワイヤループ両端部に配設され、該従動プーリ間に駆動プーリが配置されたものである。このような構成によれば、一般に駆動プーリより小径である従動プーリにワイヤループの両端が巻架されることにより、フルレートキャリッジ等の走査幅より長く必要となるスペースがコンパクト化される。
【０００７】
なお、本発明においてフルレートキャリッジは走査幅の略全域に渡って往復動されるものであり、一方、ハーフレートキャリッジは走査幅の略半分を往復動されるものであり、これらを駆動するためのワイヤ駆動機構は両者で共用されて、フルレートキャリッジの走査速度に対して略１／２の速度でハーフレートキャリッジが走査されるものとなっている。
【０００８】
また、本発明に係る画像読取装置は、光源と反射ミラーとを備えてなるフルレートキャリッジと、該フルレートキャリッジからの反射光を結像ユニットへ導くための反射ミラーを備えてなるハーフレートキャリッジとが、ガイドレールに沿って走査可能に設けられるともに、駆動源からの駆動力により回転する駆動プーリ、前記ハーフレートキャリッジに軸支されたアイドラプーリ、及び従動プーリにワイヤが巻回されてなるワイヤループにより、前記フルレートキャリッジ及びハーフレートキャリッジを所定速度で走査するワイヤ駆動機構が設けられてなる画像読取装置において、ハーフレートキャリッジを案内するガイドレールの端部に、ワイヤを緊張して固定するワイヤ張設機構が設けられたものである。ハーフレートキャリッジを案内するガイドレールは、フルレートキャリッジの走査幅の略半分程度であり、該ガイドレールの端部にワイヤ張設機構を設けることにより、ワイヤ駆動機構の端部付近にスペースを与えることができる。
【０００９】
また、前記ワイヤ張設機構は、ハーフレートキャリッジを案内するガイドレールの端部に形成されたスプリング係止部と、該スプリング係止部との間に介設されたスプリングによりワイヤ緊張方向へ付勢された状態で前記端部に固定されたワイヤ連結部材とを具備するものが好適である。
【００１０】
【発明の実施の形態】
以下、本発明の実施の形態に係る画像読取装置を図面に基づき具体的に説明する。なお、本実施の形態に係る画像読取装置は本発明の一例にすぎず、本発明の構成が該画像読取装置に限定されるものでないことは当然である。
【００１１】
図１は、本発明の実施の形態に係る画像読取装置１００を具備するコピー・ファクシミリ複合機１の上部の外観を示す概略斜視図である。図に示すように、該コピー・ファクシミリ複合機１は、読み取るべき原稿を載置するプラテンガラス２が配設された読取載置台３と、該原稿をプラテンガラス２上に押圧して固定する原稿押さえカバー４と、原稿の読取り開始等を入力するための操作パネル５とを具備してなる。以下に詳述する画像読取装置１００は、読取載置台３の内部に配設されており、プラテンガラス２の下方から原稿の画像を読み取るようになっている。
【００１２】
なお、図には示していないが、前記コピー・ファクシミリ複合機１は、読み取った画像を記録するための記録用紙を供給する給紙部や、記録用紙に画像を記録する画像記録部、画像を電送するための送信部等をも備えているが、該コピー・ファクシミリ複合機１は、本発明に係る画像読取装置を具備する機器の一例であり、これら画像記録部等は任意の構成であることは勿論である。
【００１３】
図２は、本画像読取装置１００の外観構成を示す概略斜視図である。図に示すように、本画像読取装置１００は、前記プラテンガラス２の下方において、原稿の読取面と平行方向に走査されるフルレートキャリッジ１０１及びハーフレートキャリッジ１０２と、フルレートキャリッジ１０１及びハーフレートキャリッジ１０２の両端部を夫々上下２段に支持し、且つこれらを走査方向に案内するガイドレール１０３と、ガイドレール１０３の内方に設けられてフルレートキャリッジ１０１及びハーフレートキャリッジ１０２を走査するための駆動力を伝達するワイヤ駆動機構１０４と、原稿からの反射光を電気信号に変換する結像ユニット１０５と、ワイヤ駆動機構１０４へ駆動力を付与する駆動ユニット１０６とを具備してなるものである。
【００１４】
図３は、フルレートキャリッジ１０１、ハーフレートキャリッジ１０２、及びワイヤ駆動機構１０４の主要構成を示した正面図であるが、図２及び図３に示すように、前記フルレートキャリッジ１０１は、キャリッジ本体１０に、原稿に光を照射するための光源１１と、原稿からの反射光Ｒ１を走査方向へ反射してハーフレートキャリッジ１０２へ導くための反射ミラー１２とを具備してなり、前記ハーフレートキャリッジ１０２は、キャリッジ本体２０に、フルレートキャリッジ１０１からの反射光Ｒ２を結像ユニット１０５へ導く２枚の反射ミラー２１、２２を具備してなるものである。また、図には詳細に示していないが、結像ユニット１０５は、ハーフレートキャリッジ１０２からの反射光Ｒ３を収束する収束レンズと、その収束光を電気信号に変換する電荷結合素子（Ｃｈａｒｇｅ　Ｃｏｕｐｌｅ　Ｄｅｖｉｃｅ、以下「ＣＣＤ」という。）とを備えてなる所謂縮小光学系のＣＣＤ読取ユニットである。該フルレートキャリッジ１０１及びハーフレートキャリッジ１０２がプラテンガラス２の下方を原稿と平行に移動して原稿の画像をスキャンし、該原稿からの反射光Ｒ１を反射光Ｒ３として結像ユニット１０５へ導いて、ＣＣＤにより結像するものとなっている。
【００１５】
前記ガイドレール１０３は、図２に示すように、フルレートキャリッジ１０１及びハーフレートキャリッジ１０２の両端部に一対設けられており、該両端部を夫々摺動可能に担持することにより、フルレートキャリッジ１０１及びハーフレートキャリッジ１０２を夫々走査方向へ案内するものとなっている。フルレートキャリッジ１０１を担持する第１担持部３０と、ハーフレートキャリッジ１０２を担持する第２担持部３１とは、図３に点線で示すように、上下２段に構成されており、第１担持部３０は、走査方向の略全域に渡って設けられているのに対し、第２担持部３１は、走査方向の略半分より若干長く設けられている。
【００１６】
前記ワイヤ駆動機構１０４は、図２に示すように、前記ガイドレール１０３の内方において、フルレートキャリッジ１０１及びハーフレートキャリッジ１０２の両端部夫々に一対設けられている。図３は、その一対のうち正面側のワイヤ駆動機構１０４を示しており、図に示すように、フルレートキャリッジ１０１及びハーフレートキャリッジ１０２の走査方向に渡って、ワイヤ４０を巻架させてなるワイヤループが形成されている。さらに詳細に説明するに、ワイヤ４０の一端が走査方向基端部に配設されたワイヤクランプ４１に固定され、該ワイヤ４０は、ワイヤクランプ４１から正方向に延びて、ハーフレートキャリッジ１０２の本体に軸支されたアイドラプーリ４２に半周分巻回されて逆方向へ延びている。さらにワイヤ４０は、前記ワイヤクランプ４１に下方に回転自在に固定された従動プーリ４３に半周分巻回されて、再び正方向へ延びている。走査方向先端部にも、従動プーリ４４が回転自在に固定されているが、該従動プーリ４４の手前側の斜め下方に駆動プーリ４５が配設されており、前記従動プーリ４３から正方向へ延びたワイヤ４０は、駆動プーリ４５に１周分或いはそれ以上巻回された後、従動プーリ４４に半周分巻回されて逆方向へ延びている。さらにワイヤ４０は、再び、前記アイドラプーリ４２に半周分巻回されて正方向へ延び、前記第２担持部の先端部に形成されたワイヤ張設機構４６により、緊張力が付与された状態で固定されている。また、前記従動プーリ４４及びアイドラプーリ４２間の所定位置で、フルレートキャリッジ１０１のキャリッジ本体１０がクランプ等の固定手段によってワイヤ４０に固定されている。
【００１７】
このように構成されたワイヤループに、駆動プーリ４５から駆動力が付与されることにより、フルレートキャリッジ１０１の走査速度に対して略１／２の速度でハーフレートキャリッジ１０２が走査されるものとなっており、図３に示すように、走査方向基端部から走査方向先端部に渡って走査距離Ｌ１だけフルレートキャリッジ１０１が走査される間に、ハーフレートキャリッジ１０２は、その約半分の走査距離Ｌ２だけ走査される。なお、図には示していないが、前記ガイドレール１０３、ワイヤクランプ４１、従動プーリ４３，４４は画像読取装置１００の本体等の適当な箇所にネジやボルト等の固定手段によって固定されている。
【００１８】
また、前記ワイヤ駆動機構１０４は、ワイヤ４０を巻架するための従動プーリ４３，４４を走査方向基端部及び走査方向先端部に夫々配設して、前記ワイヤループの両端部が該従動プーリ４３，４４により支持される構成としている。これにより、本画像読取装置１００の走査方向の長さが従来より縮小されている。
【００１９】
図４は、従来の走査方向先端部の構成と、本画像読取装置１００における走査方向先端部の構成とを比較した模式図であるが、図４（ａ）に示すように、従来の構成では、ワイヤ４０により形成されるワイヤループの先端部は駆動プーリ４５に巻架されていた。従って、フルレートキャリッジ１０１の走査端Ｏより先端側に、駆動プーリ４５を配置するためのスペースが必要であった。該駆動プーリ４５は、前述したように、フルレートキャリッジ１０１を移動させるに十分な駆動力をワイヤ４０へ伝達するためや、ワイヤ４０を巻きつけるに十分な巻幅を設けるために、従動プーリ４３，４４より大径且つ幅広である。
【００２０】
これに対し、図４（ｂ）に示すように、本画像読取装置１００では、ワイヤループの先端部は従動プーリ４４に巻架されており、駆動プーリ４５は、従動プーリ４４よりワイヤループ内側の斜め下方に配置されている。これにより、図に示すように、フルレートキャリッジ１０１を駆動プーリ４５の上方まで走査させることが可能となり、その結果、走査端Ｏより先端側に必要とされるスペースが距離Ｌ３だけ縮小される。ここで、駆動プーリ４５が配置される位置、即ち従動プーリ４４よりワイヤループ内側の斜め下方とは、駆動プーリ４５の外周縁の走査方向先端部側が従動プーリ４４の外周縁の先端部側より内側、即ち走査方向基端部側となる位置であって、駆動プーリ４５の外周縁上端がフルレートキャリッジ１０１の下端より下方となる位置をいう。また、従動プーリ４４の外径は、ワイヤ４０を巻架するに十分な大きさの範囲内で可能な限り小さくすることが、画像読取装置１００のコンパクト化の観点からは好ましい。
【００２１】
また、ワイヤループの両端部を従動プーリ４３，４４により巻架することにより、ワイヤ４０を媒体として、駆動プーリ４５の振動がフルレートキャリッジ１０１に伝達することが抑制される。前記駆動プーリ４５は、モータ等の駆動源を具備してなる駆動ユニット１０６からタイミングベルト等を介して、駆動軸４５ａに駆動力が伝達されることにより回転するが、図４（ａ）に示すように、ワイヤ４０により形成されるワイヤループの先端部が駆動プーリ４５に巻架されていると、モータの振動や駆動軸４５ａの偏芯等により生ずる振動が駆動プーリ４５からワイヤ４０を介してフルレートキャリッジ１０１へ伝達される場合がある。該振動は、画像の読取誤差や読取精度の劣化の誘因となる。
【００２２】
これに対し、図４（ｂ）に示すように、ワイヤループの先端部が従動プーリ４４に巻架されることにより、駆動プーリ４５からワイヤ４０に伝達された振動は、従動プーリ４４により減衰される。このような振動の抑制効果は、従動プーリ４４のワイヤ４０の巻回部（外周面）や、従動プーリ４４を支持するブラケット等の固定部分に、合成樹脂やゴム等の振動吸収材を設けることにより一層高めることができる。
【００２３】
図５は、前記ワイヤ張設機構４６近傍を示す拡大斜視図である。ワイヤ張設機構４６は、一対のガイドレール１０３の第２担持部３１の先端部に夫々形成されており、図５は、正面側のワイヤ張設機構４６を示している。図に示すように、ガイドレール１０３の第２担持部３１には、ハーフレートキャリッジ１０２が摺動可能に載置されており、前記従動プーリ４４から逆方向へ延びたワイヤ４０が、ハーフレートキャリッジ１０２に軸支されたアイドラプーリ４３に半周分巻回されて、ワイヤ張設機構４６により、緊張力が付与された状態で固定されている。また、ワイヤ張設機構４６は、ハーフレートキャリッジ１０２の走査端より先端側に形成されているので、ハーフレートキャリッジ１０２とは干渉しない。
【００２４】
図６は、前記ワイヤ張設機構４６の分解斜視図であるが、図５及び図６に示すように、ワイヤ張設機構４６は、前記第２担持部３１の先端部３１ａに形成されたスプリング係止部６０及び固定部６１と、ワイヤ４０に緊張力を付与するスプリング６２と、スプリング６２とワイヤ４０との間に介設されて前記固定部６１に固定されるワイヤ連結部材６３とを具備してなる。
【００２５】
前記スプリング係止部６０及び固定部６１は、平板をＬ字状に折り曲げて、その水平面を担持面として構成された第２担持部３１の先端部３１ａを、切欠及び曲折することにより形成されており、該スプリング係止部６０及び固定部６１を形成するために第２担持部３１の先端部３１ａは担持面より拡幅されている。
【００２６】
スプリング係止部６０は、先端部３１ａの端から下方に曲折された突片６０ａに、ハーフレートキャリッジ１０２の走査方向にくの字状の切欠部６０ｂを形成してなるものであり、該切欠部６０ｂにスプリング６２のフック６２ａを係止することにより、スプリング６２の一端が走査方向に対して支持されるようになっている。さらに、スプリング係止部６０より内側、即ち走査方向基端部側に、先端部３１ａの水平面を走査方向に所定幅だけ切欠してなる挿入部６１ａが形成され、該挿入部６１ａの側方にネジ孔６１ｂが穿たれている。前記固定部６１は、該挿入部６１ａ及びネジ孔６１ｂから構成されており、挿入部６１ａに挿入されたワイヤ連結部材６３が、ネジ孔６１ｂに螺合されてワイヤ連結部材６３を固定部６１と緊締するネジ６４により、固定部６１に固定されるようになっている。このように構成されたスプリング係止部６０及び固定部６１は、ガイドレール１０３の第２担持部３１を構成する平板を、プレス加工等により所定形状に切欠及び曲折することにより容易に形成することが可能である。
【００２７】
前記ワイヤ連結部材６３は、平板がＬ字状に曲折されてなり、その水平面には、走査方向に長い長穴６３ａが設けられている。一方、垂直面には、スプリング６２のフック６２ｂを係止するためのスプリング係止部６３ｂと、ワイヤ４０のフック４０ａを係止するためのワイヤ係止部６３ｃとが形成されている。これにより、前記スプリング係止部６０に係止されたスプリング６２の他端がワイヤ連結部材６３のスプリング係止部６３ｂに係止され、ワイヤ連結部材６３に作用するスプリング６２の引張力が、ワイヤ係止部６３ｃに係止されたワイヤ４０へ伝達されるものとなる。なお、スプリング６２はコイル状の引張りバネである。また、ネジ６４は固定具の一例であり、タッピングネジ等の他の固定具を用いることも勿論可能である。
【００２８】
以下、ワイヤ張設機構４６によるワイヤの張設方法について説明する。
まず、ガイドレール１０３の第２担持部３１の先端部３１ａに形成された固定部６１上に、ワイヤ連結部材６３を仮止めする。即ち、固定部６１の挿入部６１ｂにワイヤ連結部材６３を挿入した状態で、ネジ６４を、ワイヤ連結部材６３の長穴６３ａに挿通し、さらに固定部６１のネジ孔６１ｂに緩やかに螺合する。この状態では、ワイヤ連結部材６３は固定部６１と緊締されておらず、長穴６３ａの範囲内で走査方向に移動可能である。
【００２９】
つぎに、第２担持部３１の先端部３１ａに形成されたスプリング係止部６０と前記ワイヤ連結部材６３のスプリング係止部６３ｂに、スプリング６２のフック６２ａ，６２ｂを夫々係止して、スプリング係止部６０及びワイヤ連結部材６３間にスプリング６２を介在させる。これにより、ワイヤ連結部材６３には走査方向先端側への引張力が作用して、長穴６３ａの範囲内で最先端部側へ移動する。
【００３０】
前記ワイヤ連結部材６３を、スプリング６２の引張力に抗して長穴６３ａの範囲内で最基端部側へ寄せ、その状態で、ワイヤ連結部材６３のワイヤ係止部６３ｃにワイヤ４０のフック４０ａを係止する。その後、基端部側へ寄せていたワイヤ連結部材６３を解放すると、該ワイヤ連結部材６３はスプリング６２の引張力により先端部側へ移動するとともにワイヤ４０に緊張力が付与され、該引張力と緊張力とが均衡する位置でワイヤ連結部材６３が静止する。該位置で、ネジ６４によりワイヤ連結部材６３を固定部６１と緊締することにより、ワイヤ４０を一定の緊張力で固定することができる。また、経時的にワイヤ４０に弛み等が生じた場合には、ネジ６４を一旦緩めてワイヤ連結部材６３を固定部６１と緊締を解除することにより、再びスプリング６２の引張力を作用させてワイヤ４０に緊張力を与えることができる。なお、本張設方法は一例であり、ワイヤ連結部材６３の仮止めやスプリング６２の係止、ワイヤの係止等の順序を適宜変更できることは勿論である。
【００３１】
このように、ワイヤ張設機構４６を、ワイヤ駆動機構１０４の先端部ではなく、フルレートキャリッジ１０１の走査範囲内である第２担持部３１の端部３１ａに設けることにより、ワイヤ駆動機構１０４の先端部にスペースの余裕を与えることができ、画像読取装置１００の小型化、特に走査方向の長さの縮小に寄与することができる。また、スプリング６２の引張力が付勢された状態でワイヤ連結部材６３が固定されていることにより、ワイヤ４０の弛むを調節する場合等のメンテナンスにおいて、ワイヤ４０を一定の緊張力で張設し直すことも容易となる。
【００３２】
なお、本実施の形態では本画像読取装置１００が装備されたコピー・ファクシミリ複合機１を例に説明したが、本発明に係る画像読取装置が、スキャナ等のたの装置にも適用できることは当然である。
【００３３】
【発明の効果】
このように、本発明に係る画像読取装置によれば、ワイヤ駆動機構のワイヤを巻架するための従動プーリがワイヤループ両端部に配設され、該従動プーリ間に駆動プーリが配置されたので、フルレートキャリッジ等の走査幅より長く必要となるスペースが縮小されて、画像読取装置の小型化が実現できる。また、駆動プーリ等からワイヤを介してフルレートキャリッジ等に伝達される振動が抑制されるという利点もある。
【００３４】
また、本発明によれば、ハーフレートキャリッジを案内するガイドレールの端部に、ワイヤを緊張して固定するワイヤ張設機構が設けられたので、走査端部にスペースの余裕を与えることができ、画像読取装置の小型化、特に走査方向の長さの小型化を実現することができる。
【図面の簡単な説明】
【図１】コピー・ファクシミリ複合機１の外観を示す概略斜視図である。
【図２】画像読取装置１００の構成を示す概略斜視図である。
【図３】フルレートキャリッジ１０１、ハーフレートキャリッジ１０２、及びワイヤ駆動機構１０４の構成を示す正面図である。
【図４】図４（ａ）は、従来の画像読取装置におけるワイヤループの先端部の構成を示す模式図であり、図４（ｂ）は本画像読取装置１００におけるワイヤループの先端部の構成を示す模式図である。
【図５】ワイヤ張設機構４６近傍の構成を示す拡大斜視図である。
【図６】ワイヤ張設機構４６の構成を示す分解斜視図である。
【符号の説明】
１００　画像読取装置
１０１　フルレートキャリッジ
１０２　ハーフレートキャリッジ
１０３　ガイドレール
１０４　ワイヤ駆動機構
１０５　結像ユニット
１０６　駆動ユニット（駆動源）
１１　光源
１２，２１，２２　反射ミラー
３１　第２担時部
３１ａ　先端部
４０　ワイヤ
４３，４４　従動プーリ
４５　駆動プーリ
４６　ワイヤ張設機構
６０　スプリング係止部
６２　スプリング
６３　ワイヤ連結部材
【図１】
2004077952.tif 000003
【図２】
2004077952.tif 000004
【図３】
2004077952.tif 000005
【図４】
2004077952.tif 000006
【図５】
2004077952.tif 000007
【図６】
2004077952.tif 000008